(57)【要約】【課題】  従来、循環式風呂釜は、入浴時に出る垢が、風呂釜に流れ込んで付着するため、熱効率は低下し、ガス、灯油等の燃料を相当無駄に消費している。  また、風呂釜に流れ込んだ垢や風呂釜から剥がれた垢が、熱湯と共に風呂内に流れ込み、これが、連続的に循環するので、きわめて不衛生である。【解決手段】  風呂下部の吸い込み管を大径に形成し、該吸い込み管に長網を着脱自在に嵌装できるように構成した。  これにより、入浴時の垢は、風呂下部の長網が捕捉する。  したがって、常に清潔な風呂に入れると共に風呂釜に、垢が付着しないので、熱効率は高く、ガス、灯油等の燃料を相当節約でき、省エネ化することができる。【選択図】図１
2018004242.tif 000002
【特許請求の範囲】
【請求項１】
風呂釜の加熱管下部に接続するつば付きの吸い込み管を、加熱管より大径、且、長めに形成して風呂の下部に取り付け、該吸い込み管の後端は、加熱管と同径に形成して耐熱ゴムホースで、加熱管の下部に接続し、また、吸い込み管の入口に嵌合するテーパ管を形成し、該テーパ管の前面には、長網が通る長網通し孔を開け、且、テーパ管の外径より大径のつばをテーパ管と一体に形成し、また、ナイロン、ポリエステル等の高張力材の糸で、前端をつばより広い大円、且、底付きの長網を形成し、該長網を長網通し孔に通し、長網の前端をつばに当てて折返し、高熱に耐える接着剤で、つばの裏表に貼着し、而して、テーパ管を吸い込み管に挿し込んで圧着することを特徴とする循環式風呂釜の垢取り器。
【請求項２】
つば付きの長めの金網を、ステンレス、非鉄金属の錆びないバネ用細線で、テーパ状に形成して底を付け、而して、該金網を吸い込み口に挿し込んで圧着することを特徴とする請求項１記載の循環式風呂釜の垢取り器。
【発明の詳細な説明】
【技術分野】
【０００１】  本発明は循環式風呂釜の垢取り器に関する。
【背景技術】
【０００２】  従来、循環式風呂釜は、入浴時に出る垢が、風呂釜に流れ込んで付着するため、熱効率は低下し、ガス、灯油等の燃料を相当無駄に消費している。  また、風呂釜に流れ込んだ垢や風呂釜から剥がれた垢が、熱湯と共に風呂内に流れ込み、これが、連続的に循環するので、きわめて不衛生である。
【発明の概要】
【発明が解決しようとする課題】
【０００３】  入浴時に出る垢を、すべて、風呂下部で捕捉し、何人入っても、常に清潔な風呂にすることを目的とする。
【課題を解決するための手段】
【０００４】  実施例１の図２と図３は、風呂釜の加熱管下部に接続するつば付きの吸い込み管を、加熱管より大径、且、長めに形成して風呂の下部に取り付け、該吸い込み管の後端は、加熱管と同径に形成して耐熱ゴムホースで、加熱管の下部に接続し、また、吸い込み管の入口に嵌合するテーパ管を形成し、該テーパ管の前面には、長網が通る長網通し孔を開け、且、テーパ管の外径より大径のつばをテーパ管と一体に形成し、また、ナイロン、ポリエステル等の高張力材の糸で、前端をつばより広い大円に、且、底付きの長網を形成し、該長網を長網通し孔に通し、長網の前端をつばに当てて折返し、高熱に耐える接着剤で、つばの裏表に貼着し、而して、テーパ管を吸い込み管に挿し込んで圧着し、強固に固定するようにしたものである。【０００５】  以上において、テーパ管は吸い込み口に圧着し、強固に固定されるので、引き抜かない限り外れない。  また、長網の前端は、つばの裏表に高熱に耐える接着剤で貼着したので、外れない。したがって、外れて加熱管に流れ込まず、安全に使用することができる。【０００６】  実施例２の図４と図５は、つば付きの長めの金網を、ステンレス、非鉄金属の錆びないバネ用細線で、テーパ状に形成して底を付け、而して、該金網を吸い込み口に挿し込んで、吸い込み口に圧着し、強固に固定するようにしたものである。【０００７】  なお、長網は金属製で、弾力性があるので、吸い込み口によく圧着する。したがって、引き抜かない限り外れない。
【発明の効果】
【０００８】  本発明は、上記のように構成したので、入浴時に出る垢は、風呂水が循環する時、風呂下の長網で捕捉される。  したがって、常に、清潔な風呂に入れると共に、風呂釜内の加熱管に、垢が付着しないので、熱効率は高く、ガス、灯油等の燃料を相当節約でき、省エネ風呂釜にすることができる。  また、長網は、定期的に外して垢を掃除すれば、風呂水の循環もよくなり、常に効率的に風呂を沸かすことができる。  更に、長網と、金網は、強じんなナイロン、ポリエステル製と金網であるので、長年使用でき、また、長網の表面積は広く、したがって、濾過面積は広いので、掃除頻頻度を少なくする効果がある。【０００９】  なお、本発明の使用方法簡単であると共に、構造も簡単であるので安価に提供できる等の諸効果を有するものである。
【図面の簡単な説明】
【００１０】
【図１】本発明の全体組立図
【図２】実施例１の縦断正面図
【図３】図２の左側面図
【図４】実施例２の縦断正面図
【図５】図４の左側面図
【発明を実施するための形態】
【００１１】  実施例の図２と図３の３は風呂４下部に取り付けた吸い込み管で大径、且、長めに形成し、該後端を加熱管２と同径に形成して、耐熱ゴムホース５で、風呂釜１下部の加熱管２に接続している。  ６は吸い込み管３の入口に嵌合するテーパ管で、該テーパ管６の前面には、長網９が通る長網通し孔８を開け、且、テーパ管６の外径より大径のつば７をテーパ管６と一体に形成している。  ９はナイロン、ポリエステル等の高張力の糸で形成した長網で、前端はつば７の外周より広い大円に、且、底を付け、該長網９を長孔通し孔８に通し、長網９の前端をつば７に当てて折返し、高熱に耐える接着剤で、つば７の裏表に強固に接着している。  而して、テーパ管６を吸い込み管３に挿し込んで、テーパ管６を吸い込み管３に圧着している。
【００１２】  なお、テーパ管６を吸い込み管３に挿し込で圧着する時、テーパ管６は、吸い込み管３より１０ミリメートル位手前で圧着するようにしたがよい。  本事項は、実施例２の図４と図５においても同様である。
【００１３】実施例２の図４と図５は、つば付きの長めの金網１０を、ステンレス、非鉄金属の錆びない、ばね用細線で、テーパ状に形成し、底を付けている。  而して、金網１０をテーパ管６に挿し込んで、金網を吸い込み管３に圧着している。
【００１４】  なお、実施例１（図２と図３）のテーパ管をやや大径に形成し、片側を切り欠いてもよい。
【符号の説明】
【００１５】      １  風呂釜      ２  加熱管      ３  吸い込み管      ４  風呂      ５  耐熱ゴムホース      ６  テーパ管      ７  つば      ８  長網通し孔      ９  長網    １０  金網
【図１】
2018004242.tif 000003
【図２】
2018004242.tif 000004
【図３】
2018004242.tif 000005
【図４】
2018004242.tif 000006
【図５】
2018004242.tif 000007
【手続補正書】
【提出日】平成29年8月3日(2017.8.3)
【手続補正１】
【補正対象書類名】特許請求の範囲
【補正対象項目名】全文
【補正方法】変更
【補正の内容】
【特許請求の範囲】
【請求項１】
風呂釜の加熱管下部に接続するつば付きの吸い込み管を、加熱管より大径、且、加熱管までの長さに形成して風呂の下部に取り付け、該吸い込み管の後端は、加熱管と同径に形成して耐熱ゴムホースで、加熱管の下部に接続し、また、吸い込み管の入口に嵌合するテーパ管を形成し、該テーパ管の前面には、長網が通る小径の長網通し孔を開け、且、テーパ管の外径より大径のつばをテーパ管と一体に形成し、また、ナイロン、ポリエステル製の高張力材の糸で前端をつばより広い大円、且、底付きの長網を、吸い込み管後端のテーパ部までの長さに形成し、而して、該長網を長網通し孔に通し、長網の前端をつばに当てて折返し、高熱に耐える接着剤で、つばの裏表に貼着し、テーパ管を吸い込み管に挿し込んで圧着することを特徴とする循環式風呂釜の垢取り器。